(57)【要約】【課題】  基板収納ケースの周囲に取り付けておいても基板収納ケースから脱落して紛失することなく、しかも修理出し時に容易に封印できる状態として取り付けておくことのできる修理出し用の封印部を備えた基板収納ケースの封印部材及び基板収納ケースを提供する。【解決手段】  上ケース体と下ケース体との間に遊技動作を制御する制御基板を収納する基板収納ケースの封印部材を、上記基板収納ケースに係止される保持用フック部を有する保持部、該保持部から延出する紐部、及び、該紐部の先端部に接続され、上記基板収納ケースの分離を防ぐ封印部から構成することで、上記封印部を上記保持部及び紐部により脱落しないように基板収納ケースに保持するようにするとともに、上記封印部に２つの係止部を段違いに設けることにより、基板収納ケースの係止穴への押込み量により、仮止めと封印（本止め）とを使い分けることができるようにした。【選択図】          図６
2011167321.tif 000002
【特許請求の範囲】
【請求項１】
上ケース体と下ケース体との間に遊技動作を制御する制御基板を収納する基板収納ケースの封印部材であって、
上記基板収納ケースに係止される保持用フック部を有する保持部、該保持部から延出する紐部、及び、該紐部の先端部に接続され、上記基板収納ケースの分離を防ぐ封印部を備え、
上記封印部は、上記紐部と接続されるベース部、該ベース部の両端部から下方へ延出する一対の第１腕部及び該第１腕部の先端部に形成された第１フック部を有する第１係止部、上記一対の第１腕部の内側の上記ベース部から上記第１腕部よりも下方へ延出する一対の第２腕部及び該第２腕部の先端部に形成された第２フック部を有する第２係止部を備えることを特徴とする基板収納ケースの封印部材。
【請求項２】
上ケース体と下ケース体との間に遊技動作を制御する制御基板を収納する基板収納ケースの封印部材であって、
上記基板収納ケースに係止される保持用フック部を有する保持部、該保持部から延出する一対の紐部、及び、該一対の紐部のそれぞれの先端部に接続され、上記基板収納ケースの分離を防ぐ一対の封印部を備え、
上記封印部は、上記紐部と接続されるベース部、該ベース部の両端部から下方へ延出する一対の第１腕部及び該第１腕部の先端部に形成された第１フック部を有する第１係止部、並びに上記一対の第１腕部の内側の上記ベース部から上記第１腕部よりも下方へ延出する一対の第２腕部及び該第２腕部の先端部に形成された第２フック部を有する第２係止部を備えることを特徴とする基板収納ケースの封印部材。
【請求項３】
請求項１又は２に記載の基板収納ケースの封印部材を基板収納ケースの周囲に取り付けてなることを特徴とする基板収納ケース。
【発明の詳細な説明】
【技術分野】
【０００１】
本発明は、遊技機の遊技の動作を制御する制御基板を収納する基板収納ケースの封印部材及び基板収納ケースに関する。
【背景技術】
【０００２】
従来、スロットマシン、パチンコ機などの遊技機の遊技動作の制御は、プリント配線基板上にＣＰＵ、ＲＡＭ、ＲＯＭ、コネクタ等の電子部品が搭載された主制御基板に担われている。この主制御基板は、その電子部品が不正に交換されたり、他の電子部品が付加されるなどの不正改造を防止するために、基板収納ケース内に収納され、基板収納ケースが開封されないよう封止ピン（封印部材）により封止（封印）される。そして、封止された基板収納ケースは、基板ホルダーに装着されて遊技機の筐体内に取付けられる。このように制御基板は、製造工場内で封止されて遊技機に取付けられて遊技機を設置する遊技ホールへと出荷されることになる。この封止された基板収納ケースを開封しようとすると、封止ピンを破壊しなければならないようにされている。
【０００３】
ところが、遊技機が遊技ホールに設置された後、その主制御基板に不具合があることが判明すると、遊技ホールでは基板収納ケースを筐体から取外し、開封して基板収納ケース内に異常がないかを確認し、その後メーカーへ修理に出すようにしているが、その際、履歴を明確にし、修理に出している間の不正を防止するために、スペアーとして備え付けられている修理出し用の封止ピンを基板収納ケースの所定箇所に取り付けて再度基板収納ケースを封印した上でメーカーへ出すようにしている。近年、この修理出し用の封止ピンを、基板収納ケースの周囲に取付けておくことが提案されている（例えば、特許文献１参照）。
【先行技術文献】
【特許文献】
【０００４】
【特許文献１】特開２００６−１６７１７７号公報
【発明の概要】
【発明が解決しようとする課題】
【０００５】
しかしながら、上述のように修理出し用の封止ピンを基板収納ケースの周囲に取り付けておくと、封止ピンが衝撃などにより転落してしまうと基板収納ケースから離脱してしまい、紛失するおそれがある。
【０００６】
本発明は、基板収納ケースの周囲に取り付けておいても基板収納ケースから脱落して紛失することなく、しかも修理出し時に容易に封印できる状態として取り付けておくことのできる修理出し用の封印部を備えた基板収納ケースの封印部材及び基板収納ケースを提供することを目的とする。
【課題を解決するための手段】
【０００７】
上記目的を達成すべく、本発明は以下の（１）〜（３）の基板収納ケースの封印部材及び基板収納ケースに係る。
【０００８】
（１）上ケース体と下ケース体との間に遊技動作を制御する制御基板を収納する基板収納ケースの封印部材であって、
上記基板収納ケースに係止される保持用フック部を有する保持部、該保持部から延出する紐部、及び、該紐部の先端部に接続され、上記基板収納ケースの分離を防ぐ封印部を備え、
上記封印部は、上記紐部と接続されるベース部、該ベース部の両端部から下方へ延出する一対の第１腕部及び該第１腕部の先端部に形成された第１フック部を有する第１係止部、上記一対の第１腕部の内側の上記ベース部から上記第１腕部よりも下方へ延出する一対の第２腕部及び該第２腕部の先端部に形成された第２フック部を有する第２係止部を備えることを特徴とする基板収納ケースの封印部材。
【０００９】
上記（１）の基板収納ケースの封印部材によれば、保持部は、その保持用フック部により、基板収納ケースの上ケース体又は下ケース体の周縁に形成された係止部と係止させることができ、これにより、この保持部と紐部で接続された封印部は基板収納ケースから脱落しないように保持される。
【００１０】
また、封印部には、ベース部から突出して形成された第１フック部を有する第１係止部及びそれよりもさらに突出して形成された第２フック部を有する第２係止部が備えられており、基板収納ケースの上ケース体又は下ケース体の周縁に形成された係止部（係止穴）に手前側に上ケース体又は下ケース体の一方に係止でき、且つ基板収納ケースを開放可能とできる第１係止部の第１フック部の係止部（係止溝）を設けておき、奥側に上ケース体と下ケース体とが分離（開放）しないように封印できる第２係止部の第２フック部の係止部を設けておくことにより、封印部を基板収納ケースの上ケース体又は下ケース体の周縁に形成された係止部に所定の位置まで押込むことで、第１係止部により上ケース体又は下ケース体に係止できる一方、第２係止部はフリーな状態とし得、結果基板収納ケースを開放可能な状態で封印部を上ケース体又は下ケース体に仮止めした状態に保持することができる。これとともに、封印部を基板収納ケースの上ケース体又は下ケース体の周縁に形成された係止部に上記所定の位置よりもさらに奥へ押込むことにより、第２係止部により上ケース体と下ケース体とが分離しないように封印することができる。よって、例えば、上記のようにして用いることにより、上記（１）の基板収納ケースの封印部材は、基板収納ケースから離間して紛失することを防止した予備用、例えば修理出し用の封印部材となり得る。
【００１１】
（２）上ケース体と下ケース体との間に遊技動作を制御する制御基板を収納する基板収納ケースの封印部材であって、
上記基板収納ケースに係止される保持用フック部を有する保持部、該保持部から延出する一対の紐部、及び、該一対の紐部のそれぞれの先端部に接続され、上記基板収納ケースの分離を防ぐ一対の封印部を備え、
上記封印部は、上記紐部と接続されるベース部、該ベース部の両端部から下方へ延出する一対の第１腕部及び該第１腕部の先端部に形成された第１フック部を有する第１係止部、並びに上記一対の第１腕部の内側の上記ベース部から上記第１腕部よりも下方へ延出する一対の第２腕部及び該第２腕部の先端部に形成された第２フック部を有する第２係止部を備えることを特徴とする基板収納ケースの封印部材。
【００１２】
上記（２）の基板収納ケースの封印部材によれば、保持部と紐部で接続された一対の封印部を備えており、一方の封印部を遊技機の出荷時に基板収納ケースを封印する出荷時用封印部材として用い、他方の封印部を修理出し用の封印部材として用いることができ、上記（１）の封印部材と同様に、修理出し用の他方の封印部を、基板収納ケースの上ケース体又は下ケース体の周縁に基板収納ケースを開放可能な状態で仮止め保持できるとともに、保持部によっても保持でき、さらに出荷時用の一方の封印部と一対の紐部及び保持部を介して接続されていることからこの一方の封印部によっても基板収納ケースに保持することができる。よって、修理出し用の封印部が基板収納ケースから離間して紛失することを防止できる。
【００１３】
また、封印部のベース部は、その下側（裏側）に第２係止部を形成されているので、封印状態で第２係止部を覆うようになり、外側からの操作を防止でき、不正に第２係止部の第２フック部の係止状態を解除することを防止する封印キャップとしての機能を持たせることができる。
【００１４】
（３）上記（１）又は（２）に記載の基板収納ケースの封印部材を基板収納ケースの周囲に取り付けてなることを特徴とする基板収納ケース。
【００１５】
上述したように、上記（１）又は（２）に記載の基板収納ケースの封印部材は、基板収納ケースの周縁に脱落しないように保持しておくことができ、しかも、さらに押込めば基板収納ケースの上ケース体と下ケース体とが分離しないように封印が可能な状態で封印部を保持できるので、例えば、基板収納ケースをメーカーへ修理出しするときの修理出し用封印部材が紛失することを防止でき、しかも修理出しの際の基板収納ケースの封印を押し込めばよいだけという極めて操作容易に行うことができる。
【発明の効果】
【００１６】
本発明によれば、予備用の封印部材を、脱落して紛失することを防止して基板収納ケースの周囲に取り付けることができる。
【図面の簡単な説明】
【００１７】
【図１】スロットマシンの外観構成を示す斜視図である。
【図２】スロットマシンの内部構成を示す斜視図であって、前扉を開けた状態を示す。
【図３】主基板ユニットを示す斜視図である。
【図４】主基板ケースの（Ａ）開いた状態、（Ｂ）閉じた状態及び（Ｃ）封印された状態を示す斜視図である。
【図５】主基板ケースの展開斜視図である。
【図６】封印部材の（Ａ）斜視図、（Ｂ）（ａ）正面図、（ｂ）背面図、（ｃ）右側面図、（ｄ）平面図及び（ｅ）底面図である。
【図７】（Ａ）主基板ケースの封印部位の要部拡大図、並びに（Ａ）内の円Ａの要部断面図であって、（Ｂ）封印前及び（Ｃ）封印後の状態を示す。
【発明を実施するための形態】
【００１８】
以下、本発明を実施の形態について、添付図面に基づき詳細に説明する。なお、以下では、スロットマシンに搭載された基板収納ケースに適用した場合について説明するが、本発明は、パチンコ機に搭載される基板収納ケースに対しても好ましく適用することができる。
【００１９】
［外観構成］
図１に示すように、スロットマシン１は、前面が開放している箱形の筐体２と、この筐体２に対して開閉自在に取り付けられているドア（前扉）３とを備えている。
【００２０】
ドア３の正面の上部には、遊技に関する種々の演出、情報などを表示する液晶表示器４が取り付けられ、中央部にはリールフロントパネル５が装着されている。液晶表示装置４の上には、当該液晶表示装置４に表示された演出画像等に対応した演出音、遊技状態に応じた効果音等を出力するための一対の上部スピーカー１９Ａ，１９Ｂが取り付けられ、リールフロントパネル５の中央部には５本の有効ライン２０Ａ〜２０Ｅが描かれた表示窓が形成されている。リールフロントパネル５の下部であって表示窓の下には、入賞が発生した場合に遊技者に対して払い出されるメダル数を表示する遊技メダル払出枚数表示器２１及び遊技者が所有する有価価値としてスロットマシン１にクレジットされているメダル数を表示する遊技メダル貯留枚数表示器２２などの各種表示器、表示ランプが配設されている。
【００２１】
ドア３の下部には、機種名及びイメージデザイン等が印刷されたタイトルパネル６が装着され、その下方の左寄りには灰皿７が設けられ、中央部から右手にかけてメダル受け皿８が設けられている。また、メダル受け皿８の中央部に臨むように遊技メダル払出口９が設けられ、その両側に一対の下部スピーカー１８Ａ，１８Ｂが設けられている。
【００２２】
リールフロントパネル５とタイトルパネル６との間には、操作部が設けられている。この操作部の上段部の右寄りには遊技メダル投入口１０が設けられ、左寄りには遊技メダル精算ボタン１２、ベットボタン（貯留遊技メダル１枚毎投入ボタン１３及び貯留遊技メダル３枚毎投入ボタン１４）が設けられ、中寄りには液晶表示装置４の各種表示内容を切替えるための２つの液晶対応ボタンＫ１，Ｋ２が設けられている。
【００２３】
操作部の正面部左寄りにはリールの回転を開始させるための始動レバー１５が、中央にはリールの回転を停止させるための３つの停止ボタン１６Ｌ，１６Ｃ，１６Ｒが、また右寄りには遊技メダル投入口１０に投入した遊技メダルが詰まったときに該遊技メダルを遊技メダル払出口９から返却させるための返却ボタン１７が配置されている。なお、ドア３の中央右端部には鍵１１が設けられている。
【００２４】
［内部構成］
図２に示すように、筐体２内の中央部には３つのリール３０Ｌ，３０Ｃ，３０Ｒが配置され、その上にリール制御中継基板３１が設けられ、各リール３０Ｌ，３０Ｃ，３０Ｒの駆動源であるステッピングモーターなどが配置されている。
【００２５】
筐体２内の奥壁上部には、スロットマシン１の基本動作やリール制御などを司るプログラムが収められたＣＰＵ、ＲＡＭ，ＲＯＭ、コネクタなどが搭載された主制御基板（主基板）が収められた主基板ケース１００を備えた主基板ユニットが取り付けられており、筐体２内の底部には、電源装置３３、遊技メダル払出装置（ホッパー）３４などが配置されている。
【００２６】
ドア３の操作部の背面側には操作系制御中継基板３２が取り付けられ、液晶表示装置４の背面側には当該液晶表示装置４に表示する画像の表示、上下部スピーカー１８Ａ，１８Ｂ，１９Ａ，１９Ｂの音出力などを制御するための副制御基板が収められた副基板ケース２００が取り付けられている。
【００２７】
［主基板ケースの構造］
図３に示すように、主基板ケース１００は、主制御基板を収納する合成樹脂製の上ケース１０１及び下ケース１０２、上ケース１０１の側縁部に露出する主基板コネクタを覆うＬ字状の主基板コネクタガード（カバー）１０３、並びにこれら上下ケース１０１，１０２を保持し筐体２内の背面板に取り付けるための主基板ボルダー１０４を備える。
【００２８】
上ケース１０１と下ケース１０２とは、主制御基板を収納し閉鎖した後、側端部において封印部材３００によって上ケース１０１と下ケース１０２とが分離できないように結合（封印）されている。その結果、封印部材３００を破壊しない限り主基板ケースを開放できなようにされる。また、上ケール１０１と下ケース１０２とが対向する部位（分離ライン）にＩＣタグ封印シール４００を貼着することで、上下ケース１０１，１０２を開放したときにその痕跡が残るようにされている。
【００２９】
さらに、閉鎖された上下ケース１０１，１０２は、封印部材３００を取着した部位の近傍（図中の封印部材３００の直下）において、フックホルダー及び封止フックピンとを組付けることで主基板ホルダー１０４と分離できないように結合される。主基板コネクタガード１０３は、上ケース１０１に対してネジ止めされ、ネジを解くための回転操作ができないようにネジの頭部はシールドキャップ５００で覆って封止される。
【００３０】
図４（Ａ）に示すように、上ケース１０１と下ケース１０２とは、略長方形の箱状とされ、一短辺側においてヒンジ７００により結合され、このヒンジを基点に開閉自在とされている。上ケース１０１の両長側辺の中央部にはロック用の係止穴７０１，７０１が形成され、上ケース１０１と下ケース１０２とを閉じたときに係止穴７０１，７０１と対向するように、下ケース１０２の両長側辺の中央部にはロック用の係止爪７０２，７０２が形成されている。
【００３１】
主制御基板１０００は、四隅に固定用ネジを通すネジ穴が形成された略矩形状を有し、一方の対角をなす２つの角部を主基板固定ネジ７０３，７０３によって上ケース１０１内に固定される。この主制御基板１０００が上ケース１０１内に固定された状態で、上ケース１０１の上から下ケース１０２を被せるようにして、上ケース１０１の係止穴７０１，７０１に下ケース１０２の係止爪７０２，７０２を係止して、上下ケース１０１，１０２が閉鎖される。
【００３２】
図４（Ｂ）に示すように、上下ケース１０１，１０２が閉鎖されると、主制御基板１０００の他方の対角をなす２つの角部のネジ穴を貫通するように下ケース１０２の外側から主基板ケース封印ネジ７０４，７０４によって、上ケース１０１、主制御基板１０００及び下ケース１０２を結合する。
【００３３】
図４（Ｃ）に示すように、上下ケース１０１，１０２の他短辺側の中央縁部には係止部が設けられ、この係止部に上下ケース１０１，１０２が閉鎖された状態で側面側から封印部材３００を挿嵌して、上下ケース１０１，１０２が分離開放しないように封印される。
【００３４】
次に、主基板ケース１００の他短辺側の中央縁部に設けられた係止部についてより詳細に説明する。図５に示すように、上ケース１０１の短辺側の側面には２つの封印係止穴１１１，１１１が設けられており、その間にこれよりも小さい、封印部材３００を主基板ケース１００に保持するための保持係止穴１１２が設けられている。封印係止穴１１１，１１１のそれぞれの奥には、後述する封印部材３００の第２係止部の第２フック部の先端部が挿通する開口を有する仕切り壁が設けられている。
【００３５】
上ケース１０１の側面の封印係止穴１１１，１１１に対向する下ケース１０２の側面には、封印係止穴１１１，１１１内の両側壁にならって封印係止穴１１１，１１１内へと組み合わされる一対の側壁１２１，１２１が立設されており、さらに封印係止穴１１１，１１１内の奥側に位置するように仕切り壁１２２及び奥壁１２３が立設されている。
【００３６】
側壁１２１，１２１のそれぞれには、後述する封印部材３００の第１係止部の第１フック部が係止させられる２つの係止溝が所定間隔隔てて設けられている。これら係止溝は、仕切り壁１２２よりも手前側に、上側が開口されて形成され、上ケース１０１から下ケース１０２を開放した際に、封印部材３００の第１係止部の第１フック部が上側の開口から抜け出るようにされている。仕切り壁１２２には、封印部材３００の第２係止部の第２フック部が封印係止穴１１１，１１１から抜け出ないように係止させられる開口が設けられ、奥壁１２３には封印部材３００の第２係止部の第２フック部の先端部を収容できる窪みが形成されている。
【００３７】
［封印部材の構造］
次に、封印部材３００の構造についてより詳細に説明する。図６に示すように、封印部材３００は、合成樹脂製とされ、主基板ケース１００の上ケース１０１に係止される保持用フック部３０１を有する保持部３０２、この保持部３０２から延出する一対の紐部３０３，３０３、及び、一対の紐部３０３，３０３のそれぞれの先端部に接続され、主基板ケース１００（上ケース１０１と下ケース１０２）の分離を防ぐ一対の封印部３０４，３０４を備えている。
【００３８】
保持部３０２は、板状の基部３０２ａと保持用フック部３０１とを有し、保持用フック部３０１は、基部３０２ａの下面中央部から延出する軸部３０１ａとその先端で左右に突出する爪（鉤）３０１ｂとを有する。
【００３９】
封印部３０４は、保持部３０２の基部３０２ａの上面の端部から延出する紐部３０３と接続されるベース部３０５、ベース部３０５の両端部から下方へ延出する板状の一対の第１腕部３０６，３０６及び第１腕部３０６，３０６の先端中央部に形成され外側に突出する爪状（鉤状）の第１フック部３０７，３０７を有する第１係止部３０８，３０８を有する。また、ベース部３０５の下面の中央部であって一対の第１腕部３０６，３０６の内側から第１腕部３０６，３０６よりも長く下方へ延出する一対の第２腕部３０９，３０９及び第２腕部３０９，３０９の先端部に形成され外側に突出する爪状（鉤状）の第２フック部３１０，３１０を有する第２係止部３１１，３１１を有する。一対の第２腕部３０９，３０９（第２フック部３１０，３１０）は、所定間隔離間して設けられている。
【００４０】
［封印状態］
以下、封印部材３００により主基板ケースを封印する前及び封印した後の封印部位の状態について説明する。図７（Ａ）に封印部材３００を封印係止穴１１１及び保持係止穴１１２に挿嵌して上ケース１０１と下ケース１０２とを封印するときの封印部位を示す。図７（Ｂ）に封印前の状態、つまり封印部材３００が主基板ケース１００に仮止めされた状態を示す。封印部材３００は、封印前は、保持部３０２の保持用フック部３０１が上ケース１０１の保持係止穴１１２に押し込まれることにより、保持係止穴１１２の内壁に保持用フック部３０１の爪３０１ｂが係止され、上ケース１０１の側壁に取着される。他方、封印部材３００の一対の封印部３０４は、それぞれ封印係止穴１１１，１１１に浅く押し込まれて、下ケース１０２の側壁１２１，１２１の手前側の係止溝に第１係止部３０８の一対の第１フック部３０７，３０７が係止されている。このとき、第２係止部３１１の第２フック部３１０は、仕切り壁１２２の手前側の封印係止穴１１１内に、いずれとも係止することなくフリーな状態とされている。この封印部材３００を主基板ケース１００に仮止めした状態では、上ケース１０１から下ケース１０２を開くと、第１係止部３０８の第１フック部３０７は下ケース１０２の側壁１２２の手前側の係止溝の開放された上部から抜け出すことができるようになっており、上ケース１０１と下ケース１０２との開閉が可能である。
【００４１】
この仮止め状態で、仮に封印部材３００の封印部３０４が封印係止穴１１１から万が一にも抜け落ちたとしても紐部３０３により接続された保持部３０２が上ケース１０１に係止されていることにより、封印部材３００の封印部３０４が主基板ケース１００から脱落することを防止できる。また、仮に封印部材３００の保持部３０２が保持係止穴１１２から万が一にも抜け落ちたとしても、封印部３０４自体が下ケース１０１の側壁１２１の手前側の係止溝に係止されていることにより、封印部材３００の封印部３０４が主基板ケース１００から脱落することを防止できる。
【００４２】
図７（Ｃ）に封印後の状態、つまり封印部材３００が主基板ケース１００の上ケース１０１と下ケース１０２とを分離しないように封印した状態を示す。封印部材３００の一方の封印部３０４（図中、「Ａ」と描かれた側の封印部）は、上記仮止めされた状態から、さらに封印係止穴１１１に押し込まれて、下ケース１０２の側壁１２１の奥側の係止溝に第１係止部３０８の一対の第１フック部３０７，３０７が係止されるとともに、第２係止部３１１の第２フック部３１０は、仕切り壁１２２の開口を通過し、封印係止穴１１１から抜け出ないように仕切り壁１２２の内壁に係止され、その結果、上ケース１０１と下ケース１０２とが分離しないように封印される。また、この状態で第２フック部３１０の先端部は、下ケース１０２の奥壁１２３の窪み部に収まっている。
【００４３】
他方、封印部材３００の他方の封印部３０４（図中、「Ｆ」と描かれた側の封印部）は、仮止めされた状態のままとされ、修理出し用（スペアー用）の封印部材として利用できる。つまり、仮に封印部材３００の他方の封印部３０４が封印係止穴１１１から万が一にも抜け落ちたとしても紐部３０３により接続された保持部３０２が上ケース１０１に係止されていることにより、封印部材３００の封印部３０４が主基板ケース１００から脱落することを防止できる。また、仮に封印部材３００の保持部３０２が保持係止穴１１２から万が一にも抜け落ちたとしても、封印部３０４自体が下ケース１０１の側壁１２１の手前側の係止溝に係止されていることにより、また、一方の封印部３０４が封印状態で主基板ケース１００に係止されているので、封印部材３００の他方の封印部３０４が主基板ケース１００から脱落することをより一層防止することができる。
【００４４】
以上、保持部から延出する一対の紐部３０３，３０３、及び該一対の紐部３０３，３０３のそれぞれの先端部に接続された一対の封印部３０４，３０４を備えた本発明の実施の形態について説明したが、本発明の封印部材はこれに限らず、保持部から延出する１本の紐部、及び該紐部の先端部に接続された１つの封印部を有する構造の封印部材としても、予備用（修理出し用）の封印部材として良好に使用することができる。
【符号の説明】
【００４５】
１００  主基板ケース
１０１  上ケース
１０２  下ケース
３００  封印部材
３０２  保持部
３０３  紐部
３０４  封印部
３０８  第１係止部
３１１  第２係止部
１０００  主制御基板
【図１】
2011167321.tif 000003
【図２】
2011167321.tif 000004
【図３】
2011167321.tif 000005
【図４】
2011167321.tif 000006
【図５】
2011167321.tif 000007
【図６】
2011167321.tif 000008
【図７】
2011167321.tif 000009